(57)【要約】【課題】  指揮棒機能を具えたアラームランプ装置の提供。【解決手段】  ランプシート、指揮棒筒体と折り畳み式フレームで構成され、該ランプシートが指揮棒筒体上方に螺合され、並びに該折り畳み式フレーム上部に枢設シートが設けられて指揮棒筒体が嵌入され並びに位置決めされ、指揮棒が折り畳み式フレームと接続されてアラームランプ装置が形成され、また指揮棒と折り畳み式フレームが分離されて独立操作可能な式指揮棒が提供され、場面に応じた操作と組合せに便利な機能を達成し、全体として高い実用性を有している。【選択図】        図１
0003113416.tif 000002
【実用新案登録請求の範囲】
【請求項１】
ランプシート、指揮棒筒体、一組の枢設シート、及び、折り畳み式フレームで構成され、該ランプシートが指揮棒筒体の上端に取り付けられ、且つ指揮棒筒体の内部に電池室と回路板が設けられ、該折り畳み式フレームが枢設シートに等距離に枢設された三つの足で構成されて展開されて三脚を形成して発光三角形アラーム標識を形成する、指揮棒機能を具えたアラームランプ装置において、
指揮棒筒体の上端内部に電池室と回路板が取り付けられ、別の大きな空間にアラームランプが取り付けられ、指揮棒筒体の外周に複数の枢設部が凸設され、各足の上端に中空を呈する枢設シートが枢設され、各足の内部に枢設部が設けられて拡張ロッドと枢設され、拡張ロッドの別端と底端枢設シートが枢設され、指揮棒筒体が折り畳み式フレームの二つの枢設シート内に嵌合され、並びに指揮棒筒体の枢設部が枢設シート端部に設けられたノッチにアラインされた後に回転させられて指揮棒筒体と枢設シートが枢設部と環縁の形成する嵌合により接合されて一体とされ、折り畳み式フレームが展開されて三角形のアラーム標識を形成し、また指揮棒筒体の枢設部と枢設シートが分離可能とされて、単独使用可能な指揮棒を形成可能であり、使用と組合せに便利とされたことを特徴とする、指揮棒機能を具えたアラームランプ装置。
【請求項２】
請求項１記載の指揮棒機能を具えたアラームランプ装置において、ランプシートが二方向の投射ランプ座体を具え、ランプシートの底端に枢設座が設けられ、該枢設座内部に投射ランプの回路と接続される導電体が設けられ、且つ枢設座の底端内部に雌ネジが設けられ、投射照明範囲が広い二方向の投射ランプを具えたことを特徴とする、指揮棒機能を具えたアラームランプ装置。
【請求項３】
請求項１記載の指揮棒機能を具えたアラームランプ装置において、指揮棒筒体上方に雄ネジを具えた接続端が設けられ、且つスイッチ装置の下方に二つの枢設部が凸設され、該枢設部が内向きのフック状とされ、指揮棒筒体に環状に凹円弧面係止溝が設けられたことを特徴とする、指揮棒機能を具えたアラームランプ装置。
【請求項４】
請求項１記載の指揮棒機能を具えたアラームランプ装置において、枢設シートが環座と嵌合座で構成され、該環座が中空状円環体とされ、且つ上方に環縁が凸設され、該環縁に等距離に複数のノッチが形成され、環座の下方に等距離に複数の割り溝が形成されて複数のリブが形成され、各リブの底部にフックが形成され、該嵌合座は中空円環体とされ、嵌合座の下方に等距離に三つの枢設溝が形成され、且つ嵌合座の高さが環座の全体高さより小さく、拡張ロッドの一端が嵌合座の枢設溝内に枢設され、環座が嵌合座内に挿入され、リブと割り溝の弾性収縮と拡張の機能により環座が嵌合座内に嵌合され、且つ環座底端のフックが嵌合座底端に係合され、環座と嵌合座が一体に結合され、拡張ロッドが枢設溝内に制限され、環座の環縁が嵌合座より突出して指揮棒筒体の枢設部との嵌合、位置決めに供されることを特徴とする、指揮棒機能を具えたアラームランプ装置。
【請求項５】
請求項４記載の指揮棒機能を具えたアラームランプ装置において、底端枢設シートの環座の内周に内向きの凸縁が設けられて底端枢設シートが指揮棒筒体の凹円弧面係止溝における位置決めに供されることを特徴とする、指揮棒機能を具えたアラームランプ装置。
【考案の詳細な説明】
【技術分野】
【０００１】
本考案は一種の指揮棒機能を具えたアラームランプ装置に係り、特に、アラームランプ装置に指揮棒の取り付け取り外しが行なえる装置が設けられ、該指揮棒筒体の枢設部と折り畳み式フレームに設けられた枢設シートの嵌合、位置決めにより、該指揮棒と折り畳み式フレームが一体とされるか、分離されて独立使用され、場面に応じて応用でき且つ組合せに便利な機能を達成したアラームランプ装置であり、産業上の利用価値と実用性を具えた、指揮棒機能を具えたアラームランプ装置に関する。
【背景技術】
【０００２】
周知のアラームランプ装置の外観は、図７〜９に示されるようであり、それは中空状の筒体５０内部底端に電池と回路板５１が設けられ、別の比較的大きな空間にアラームランプ５２が収容され、且つ筒体５０の外周に３本の足７０を具えた可動座７１が嵌合され、該足７０と筒体５０の対応部分に拡張ロッド７２が枢設され、足を展開できる構造とされ、且つ二つの足７０の底部の間に横向きに連接板７３が設けられて、三角形のアラーム標識を形成する。別に筒体５０の上端には位置決め装置５３が設けられ、位置決め装置５３とベース５４が枢設され、その間が左右に角度回転可能とされ、ベース５４が投射ランプ６０の間に二つのホルダ部品５５が設けられ、ピン６１によりその間の導電と上下の回転位置決めが形成され、明らかなアラーム目的を達成するものとされている。
【考案の開示】
【考案が解決しようとする課題】
【０００３】
前述のアラームランプ装置は、指揮棒が折り畳み式フレームと一体に形成された構造であり、このため全体構造が重く、使用者が握持するのに不便で、使用上あまり便利でなく、改良が求められている。
【０００４】
このため、本考案は一種の指揮棒機能を具えたアラームランプ装置を提供し、それは、指揮棒筒体の外周に枢設部が凸設され、折り畳み式フレームの上端に枢設シートが取り付けられ、該枢設シートが環座と嵌合座で構成され、嵌合物は中空環状体とされ、且つ周囲に等距離に枢設溝が設けられてフレーム上端に設けられた枢設部品の枢設に供され、更に環座がそれに設けられた複数の係止溝とリブの弾性収縮と拡張の特性により嵌合座内に嵌合され、且つ環座上方の環縁が嵌合座より突出し、該環縁に等距離にノッチが設けられ、筒体が枢設座内に挿入され、筒体の枢設部の位置が環座のノッチに合わされた後に回されて、枢設部と環座の環縁が相互に嵌合され一体とされ、このような機構の組合せにより、機動的に操作でき且つ組合せに便利なアラームランプ装置が形成され、また指揮棒と折り畳み式フレームが分離可能とされて独立した指揮棒機能を形成可能で、産業上の利用性と新規性を有するものとされる。
【課題を解決するための手段】
【０００５】
請求項１の考案は、ランプシート、指揮棒筒体、一組の枢設シート、及び、折り畳み式フレームで構成され、該ランプシートが指揮棒筒体の上端に取り付けられ、且つ指揮棒筒体の内部に電池室と回路板が設けられ、該折り畳み式フレームが枢設シートに等距離に枢設された三つの足で構成されて展開されて三脚を形成して発光三角形アラーム標識を形成する、指揮棒機能を具えたアラームランプ装置において、
指揮棒筒体の上端内部に電池室と回路板が取り付けられ、別の大きな空間にアラームランプが取り付けられ、指揮棒筒体の外周に複数の枢設部が凸設され、各足の上端に中空を呈する枢設シートが枢設され、各足の内部に枢設部が設けられて拡張ロッドと枢設され、拡張ロッドの別端と底端枢設シートが枢設され、指揮棒筒体が折り畳み式フレームの二つの枢設シート内に嵌合され、並びに指揮棒筒体の枢設部が枢設シート端部に設けられたノッチにアラインされた後に回転させられて指揮棒筒体と枢設シートが枢設部と環縁の形成する嵌合により接合されて一体とされ、折り畳み式フレームが展開されて三角形のアラーム標識を形成し、また指揮棒筒体の枢設部と枢設シートが分離可能とされて、単独使用可能な指揮棒を形成可能であり、使用と組合せに便利とされたことを特徴とする、指揮棒機能を具えたアラームランプ装置としている。
請求項２の考案は、請求項１記載の指揮棒機能を具えたアラームランプ装置において、ランプシートが二方向の投射ランプ座体を具え、ランプシートの底端に枢設座が設けられ、該枢設座内部に投射ランプの回路と接続される導電体が設けられ、且つ枢設座の底端内部に雌ネジが設けられ、投射照明範囲が広い二方向の投射ランプを具えたことを特徴とする、指揮棒機能を具えたアラームランプ装置としている。
請求項３の考案は、請求項１記載の指揮棒機能を具えたアラームランプ装置において、指揮棒筒体上方に雄ネジを具えた接続端が設けられ、且つスイッチ装置の下方に二つの枢設部が凸設され、該枢設部が内向きのフック状とされ、指揮棒筒体に環状に凹円弧面係止溝が設けられたことを特徴とする、指揮棒機能を具えたアラームランプ装置としている。
請求項４の考案は、請求項１記載の指揮棒機能を具えたアラームランプ装置において、枢設シートが環座と嵌合座で構成され、該環座が中空状円環体とされ、且つ上方に環縁が凸設され、該環縁に等距離に複数のノッチが形成され、環座の下方に等距離に複数の割り溝が形成されて複数のリブが形成され、各リブの底部にフックが形成され、該嵌合座は中空円環体とされ、嵌合座の下方に等距離に三つの枢設溝が形成され、且つ嵌合座の高さが環座の全体高さより小さく、拡張ロッドの一端が嵌合座の枢設溝内に枢設され、環座が嵌合座内に挿入され、リブと割り溝の弾性収縮と拡張の機能により環座が嵌合座内に嵌合され、且つ環座底端のフックが嵌合座底端に係合され、環座と嵌合座が一体に結合され、拡張ロッドが枢設溝内に制限され、環座の環縁が嵌合座より突出して指揮棒筒体の枢設部との嵌合、位置決めに供されることを特徴とする、指揮棒機能を具えたアラームランプ装置としている。
請求項５の考案は、請求項４記載の指揮棒機能を具えたアラームランプ装置において、底端枢設シートの環座の内周に内向きの凸縁が設けられて底端枢設シートが指揮棒筒体の凹円弧面係止溝における位置決めに供されることを特徴とする、指揮棒機能を具えたアラームランプ装置としている。
【考案の効果】
【０００６】
本考案は従来の技術と比較すると、以下のような効果を達成する。
１．独立して指揮棒を使用できる：  本考案の指揮棒筒体はその外周に設けられた枢設部により折り畳み式フレームの枢設座と嵌合され、また枢設部は枢設座と分離可能であり、使用者は独立して指揮棒を操作でき、操作時に便利である。
２．投射光が二方向照明である：  本考案のランプシートには二方向に投射ランプが設置され、ランプシートが二方向照明を提供し、これにより照明範囲が増加される。
【考案を実施するための最良の形態】
【０００７】
図１及び図２に示されるように、本考案の指揮棒機能を具えたアラームランプ装置Ａは、ランプシート１０、指揮棒２０、一組の枢設シート３０、及び、折り畳み式フレーム４０で構成されている。そのうち、ランプシート１０は指揮棒筒体２１の上端に取り付けられ、該指揮棒２０は中空長筒体状を呈し、該折り畳み式フレーム４０は枢設シート３０に等距離に枢設された３本の足４１を包含し、展開して三脚を形成して発光三角アラーム標識を形成する。本考案の主要な改良は以下にある。
【０００８】
図３も参照されたい。ランプシート１０は一組の、二方向に投射ランプ１１が設けられたランプシートであり、ランプシート１０の中段底端に枢設座１２が形成され、該枢設座１２の内周に雌ネジ１２１が設けられ、且つ枢設座１２内部中段に、投射ランプ１１の回路と接続される導電体１３が設けられている。
【０００９】
該指揮棒筒体２１の内部に電池室２２と回路板２４が設けられ、指揮棒筒体２１の上端外周に回路板２４と接続されスイッチ装置２６が設けられ、その別の大きな空間にアラームランプ２５が取り付けられ、該指揮棒筒体２１の上端部分に、雄ネジを具えた接続端２１１が設けられ、且つ該スイッチ装置２６の下方に等距離に二つの枢設部２７が凸設され、該枢設部２７は内向きのフック状に形成され、指揮棒筒体２１の底端に環状に凹円弧面係止溝２８が設けられている。
【００１０】
複数の電池が組み合わされた電池ケース２３が電池室２２内に取り付けられ、更に、ランプシート１０が枢設座１２により接続端２１１に螺合され、電池ケース２３の一端が導電体１３に接触させられ、別端が電源接触端２４１に接触させられ、回路を形成し、使用者がスイッチ装置２６をオンすることにより、投射ランプ１１或いはアラームランプ２５を導通させて発光させることができる。
【００１１】
該折り畳み式フレーム４０は複数の円弧形断面、長片型の足４１を組み合わせてなり、足４１の上端に枢設シート３０が取り付けられ、該枢設シート３０は環座３１と勘合座３２で構成され、該環座３１は中空状を呈する円環体とされ、且つ上方に外向きに環縁３１１が凸設され、該環縁３１１に等距離に二つのノッチ３１２が形成され、該環座３１の下方に等距離に複数の割り溝３１３が設けられ、且つ複数のリブ３１４が形成さ、各リブ３１４の底部に外向きにフック３１５が形成されている。該嵌合座３２は中空状の円環体とされ、嵌合座３２の下方に等距離に三つの枢設溝３２１が形成され、且つ該嵌合座３２の高さは環座３１全体の高さより小さい。
【００１２】
嵌合座３２の枢設溝３２１を具えた端面を下とし、足４１の上方に設けられた枢設部品４２を嵌合座の枢設溝３２１内に枢設し、更に環座３１を上から下に嵌合座３２内に挿入し、リブ３１４と割り溝３１３の弾性収縮後に更に拡張する特性により、環座３１を嵌合座３２内に嵌合させ、環座のリブ３１５を嵌合座３２の底端に係合させ、並びに足の枢設部品４２を枢設溝３２１内に制限し、各足４１の内面に凸設された枢設部４３を拡張ロッド４５の一端に枢設する。別にもう一つの環座３３が設けられ、その上方の環縁部分に等距離に三つのノッチ３３２が設けられ、且つその底端に等距離に複数の割り溝３３３が形成され且つ複数のリブ３３４が形成され、該複数のリブ３３４の底端に外向きにフック３３５が形成され、並びにこれら複数のリブ３３４の内側に内向きの凸縁３３６が形成され、更にもう一つの嵌合座３２が逆向きにとされて枢設溝３２１が上向きとされて、各拡張ロッド４５の別端が枢設溝３２１内に枢設され、更にこのもう一つの環座３２が下から上に環座３３に嵌入され、拡張ロッド４５の別端が枢設溝３２１内に制限される。
【００１３】
図４及び図５は本考案の折り畳み式フレーム４０の展開状態を示す。指揮棒筒体２１が折り畳み式フレーム４０の上方と下方の枢設シート３０内に挿入され、指揮棒筒体２１の枢設部２７が環座のノッチ３１２内にアラインされ挿入された後に回され、環座３１の環縁３１１と指揮棒筒体２１の枢設部２７が相互に嵌合され、、指揮棒筒体２１と折り畳み式フレーム４０が一体に結合され、折り畳み式フレーム４０が足４１と拡張ロッド４５の回転、及び下方の枢設シート３０の指揮棒筒体２１の凹円弧面係止溝２８内へのスライド自在の嵌合により、展開され三角アラーム標識が形成される。また、足４１の末端部分に設けられた固定孔４４が連接片４６の嵌合に供され、折り畳み式フレーム４０の指示機能が増される。且つ、折り畳み式フレーム４０の折り畳み時には、折り畳み式フレーム４０の底部にカバーキャップ４７が取り付けられ、集束の機能を達成する。
【００１４】
図６に示されるように、指揮棒筒体２１が回されて、指揮棒筒体２１の枢設部２７が枢設シート３０の環縁３１１より外されれば、独立操作可能な指揮棒２０が形成され、且つ該ランプシート１０が二方向の投射ランプ１１を具え、重量が軽く、且つランプ透光範囲が広い指揮棒２０が提供され、機動的に使用でき便利な機能が達成される。
【００１５】
以上の部品で構成され、折り畳み式フレーム４０上方の、環座３１と嵌合座３２が嵌合されてなる枢設シート３０が、スライド自在に指揮棒筒体２１外周に嵌合され、且つ指揮棒筒体２１外周に設けられた枢設部２７と枢設シート３０の環座３１より突出する環縁３１１の嵌合により、明らかなアラーム機能を具えたアラーム標識が形成され、それは指揮棒筒体２１が回されてその枢設部２７と枢設シート３０が離脱させられることで、独立操作可能な指揮棒２０が形成され、使用者が機動的に使用できる指揮棒機能を具えたアラームランプ装置Ａとされ、全体として新規性と実用性を具えている。
【００１６】
以上をまとめると、本考案の指揮棒機能を具えたアラームランプ装置は、着脱可能な指揮棒機能を具えたアラームランプ装置であり、それは指揮棒筒体の枢設部と折り畳み式フレームの枢設シートの嵌合により、指揮棒とアラーム装置が結合され一体とされるか、或いは分離して単独使用可能とされ、該指揮棒筒体の上方に二方向に投射ランプを具えたランプシートが設けられ、使用者に場面に応じた操作と組合せに便利な機能を提供し、全体として産業上の利用価値と実用性、新規性を有している。
【００１７】
以上の実施例は本考案の実施範囲を限定するものではなく、本考案に基づきなしうる細部の修飾或いは改変は、いずれも本考案の請求範囲に属するものとする。
【図面の簡単な説明】
【００１８】
【図１】本考案の立体外観図である。
【図２】本考案の立体分解図である。
【図３】本考案の断面図である。
【図４】本考案の折り畳み式フレームの展開時の断面図である。
【図５】本考案の折り畳み式フレームの展開時の立体図である。
【図６】本考案の指揮棒の立体図である。
【図７】周知の技術の立体分解図である。
【図８】周知の技術の組合せ断面図である。
【図９】周知の技術の折り畳み式フレームの展開時の立体図である。
【符号の説明】
【００１９】
Ａ  指揮棒機能を具えたアラームランプ装置
１０  ランプシート
１１  投射ランプ                    １２  枢設座
１２１  雌ネジ                      １３  導電体
２０  指揮棒
２１  筒体                          ２１１  接続端
２２  電池室                        ２３  電池ケース
２４  回路板                        ２５  アラームランプ
２６  スイッチ装置                  ２７  枢設部
２８  凹円弧面係止溝
３０  枢設シート
３１  環座                          ３１１  環縁
３１２  ノッチ                      ３１３  割り溝
３１４  リブ                        ３１５  フック
３３  嵌合座                        ３３１  環縁
３３２  ノッチ                      ３３３  割り溝
３３４  リブ                        ３３５  フック
４０  折り畳み式フレーム
４１  足                            ４２  枢設部品
４３  枢設部                        ４４  固定孔
４５  拡張ロッド                    ４６  連接片
４７  カバーキャップ
５０  筒体
５１  電池と回路板                  ５２  アラームランプ
５３  位置決め部品                  ５４  ベース
５５  ホルダ部品
６０  投射ランプ                    ６１  ピン
７０  足                            ７１  可動座
７２  拡張ロッド                    ７３  連接板
【図１】
0003113416.tif 000003
【図２】
0003113416.tif 000004
【図３】
0003113416.tif 000005
【図４】
0003113416.tif 000006
【図５】
0003113416.tif 000007
【図６】
0003113416.tif 000008
【図７】
0003113416.tif 000009
【図８】
0003113416.tif 000010
【図９】
0003113416.tif 000011